(57)【要約】      （修正有）【課題】複数の異なる数字や符号を備えるゴルフクラブヘッドカバーの番号表示器を提供する。【解決手段】番号表示窓とゴルフクラブヘッドカバーに連結される連接装置を含むケースを備えたゴルフクラブヘッドカバー用プッシュ式番号表示器において、前記ケースの内部に間欠的に回転できる回転輪４および回転輪を回転させる第１半軸５と第２半軸６が設けられ、前記第１半軸と第２半軸はいずれも中空の管状軸であって回転輪の両側にそれぞれ位置し、第１半軸の片側に回転輪に連結されるプッシュ装置が設けられ、回転輪の周方向に複数の異なる番号４１が付されており、回転輪が間欠的に回転するとき、各番号がケースの番号表示窓１１から順次表示されることを特徴とするゴルフクラブヘッドカバー用プッシュ式番号表示器。【選択図】図２
0003135975.tif 000002
【実用新案登録請求の範囲】
【請求項１】
番号表示窓とゴルフクラブヘッドカバーに連結される連接装置を含むケースを備えたゴルフクラブヘッドカバー用プッシュ式番号表示器において、前記ケースの内部に間欠的に回転できる回転輪および回転輪を回転させる第１半軸と第２半軸が設けられ、前記第１半軸と第２半軸はいずれも中空の管状軸であって回転輪の両側にそれぞれ位置し、第１半軸の片側に回転輪に連結されるプッシュ装置が設けられ、回転輪の周方向に複数の異なる番号が付されており、回転輪が間欠的に回転するとき、各番号がケースの番号表示窓から順次表示されることを特徴とするゴルフクラブヘッドカバー用プッシュ式番号表示器。
【請求項２】
前記回転輪に連結されるプッシュ装置は、ボタン、伝動輪およびボタンリセット装置を含み、ボタンは第１半軸の内側から伸出して外側端がケースの外に露出しており、第１半軸の内側円周上にボタンの回転を規制する位置決めブロックが設けられ、伝動輪は回転輪と連動し、ボタンおよび伝動輪にそれぞれ駆動歯および駆動溝が設けられ、駆動歯と駆動溝が噛み合って伝動輪と回転輪の間欠的回転を引き起こし、前記ボタンリセット装置は第２半軸の内部に位置していることを特徴とする請求項１記載のゴルフクラブヘッドカバー用プッシュ式番号表示器。
【請求項３】
前記伝動輪は辺縁に突起ブロックを有し、該突起ブロックが回転輪の内側に設けられたブロック溝内に係入されて、回転輪との連動が実現されることを特徴とする請求項２記載のゴルフクラブヘッドカバー用プッシュ式番号表示器。
【請求項４】
前記ボタンリセット装置は、圧縮スプリングおよび該圧縮スプリングの伝動輪寄りの一端に設けられた助滑部材を含み、圧縮スプリングの他方の一端がケースの内側面に当接され、助滑部材が伝動輪に摺動可能に嵌合されることを特徴とする請求項２記載のゴルフクラブヘッドカバー用プッシュ式番号表示器。
【請求項５】
第１半軸および第２半軸は辺縁にそれぞれ突起ブロックを有し、該突起ブロックがケースに設けられたブロック溝内に係入されて、第１半軸と第２半軸をそれぞれ周方向に固定させることを特徴とする請求項２記載のゴルフクラブヘッドカバー用プッシュ式番号表示器。
【請求項６】
前記ケースは番号表示窓をそれぞれ有する前カバーと後カバーから構成され、前カバーと後カバーとの間がほぞとほぞ溝の嵌合により連結され、かつ接着剤で固定されることを特徴とする請求項１〜５のいずれか１項記載のゴルフクラブヘッドカバー用プッシュ式番号表示器。
【請求項７】
前記ケース上にあってゴルフクラブヘッドカバーに連結される連接装置が、布片を穿通させてゴルフクラブのヘッドカバーに結び付けるための長孔であることを特徴とする請求項１〜５のいずれか１項記載のゴルフクラブヘッドカバー用プッシュ式番号表示器。
【考案の詳細な説明】
【技術分野】
【０００１】
本考案はゴルフクラブヘッドカバー用プッシュ式番号表示器に関し、特に表示する番号を必要に応じて変更できるプッシュ式番号表示器に関する。
【背景技術】
【０００２】
ヘッドカバーを使ってゴルフクラブを保護することは、プレーヤーが常用する手段である。特にウッドは通常、１番、３番、５番およびパターＸ番と分かれ、値段が高価であるため、使用しないでクラブケースに放置する際には、適切な管理を要する。従来におけるゴルフクラブのカバーは、通常ヘッドカバーと本体カバーからなり、ヘッドカバーはネルなどの良質な材料で縫製され、本体カバーは弾力性のある材質で長筒形に作製され、これによりクラブ全体を保護している。
【考案の開示】
【考案が解決しようとする課題】
【０００３】
ヘッドカバーでゴルフクラブをカバーする場合、ヘッド全体が覆われてしまうため、クラブの番号が見えなくなる。そこで、カバー上面に数字や英字を刺繍して、当該カバーをその番号の専用カバーにする方法がある。しかしこの方法では、いずれのカバーも専用カバーとなって、別のクラブには使えなくなるため利便的ではない。
【０００４】
さらに、カバー上部に布片で番号ラベルを連結する方法がある。番号の数字や符号を見れば、覆われたクラブの番号が分かる。この方法はカバーに異なる番号ラベルを連結することによって、カバーをどのクラブにも使うことができる。しかし、番号ラベルが散在し、紛失や脱落の問題が常に発生するため使用上便利ではない。特に、１つのカバーに対して複数のナンバーラベルが必要になるので、複数のカバーには複数組の番号ラベルを準備しなければならず、携帯に不便であり、これも大きな欠点である。
【課題を解決するための手段】
【０００５】
本考案は従来技術の課題に鑑み、複数の異なる数字や符号を備えるゴルフクラブヘッドカバー用番号表示器を提供する。ユーザーはこれにより、表示される番号を必要に応じて簡単に変更できる。
【０００６】
上記技術上の課題を解決するため、本考案は次のような技術案を採用する。ゴルフクラブヘッドカバー用プッシュ式番号表示器を設計し、番号表示窓とゴルフクラブヘッドカバーに連結される連接装置を含むケースを備えさせ、前記ケースの内部に間欠的に回転できる回転輪および回転輪を回転させる第１半軸と第２半軸を設け、前記第１半軸と第２半軸はいずれも中空の管状軸であって回転輪の両側にそれぞれ位置させ、第１半軸の片側に回転輪に連結されるプッシュ装置があり、回転輪の周方向に複数の異なる番号が分布され、回転輪が間欠的に回転するとき、各番号がケースの番号表示窓から順次表示される。
【０００７】
前記回転輪に連結されるプッシュ装置は、ボタン、伝動輪およびボタンリセット装置を含み、ボタンは第１半軸の内部から伸出して外側端がケースの外に露出しており、第１半軸の内側円周にはボタンの回転を規制する位置決めブロックが設けられている。伝動輪と回転輪は周方向に連動し、ボタンおよび伝動輪にはそれぞれ駆動歯および駆動溝が設けられ、駆動歯と駆動溝が噛み合って伝動輪と回転輪の間欠的回転を引き起こす。ボタンリセット装置は第２半軸の内部に位置している。前記伝動輪は辺縁に突起ブロックを有し、該突起ブロックが回転輪の内側に設けられたブロック溝に係入して回転輪との連動が実現される。
【０００８】
前記ボタンリセット装置は圧縮スプリングおよび圧縮スプリングの伝動輪寄りの一端に設けられた助滑部材を含み、圧縮スプリングの他方の一端がケースの内側面に当接しており、助滑部材は伝動輪に摺動可能に嵌合される。
【０００９】
前記第１半軸と第２半軸の辺縁にはいずれも突起ブロックがあり、該突起ブロックがケースに設けられたブロック溝内に係入されて、第１半軸と第２半軸がそれぞれ周方向に固定される。
【００１０】
前記ケースは番号表示窓をそれぞれ有する前カバーと後カバーから構成され、前カバーと後カバーとの間は、ほぞとほぞ溝の嵌合により連結され、かつ接着剤で固定される。
【００１１】
前記ケース上にあってゴルフクラブヘッドカバーに連結される連接装置は、布片を穿通させてゴルフクラブヘッドカバーに結び付けるための長孔である。
【００１２】
本考案は、複数の異なる数字や符号を一体化したゴルフクラブヘッドカバー用番号表示器であって、ユーザーは表示する番号を必要に応じて簡単に変更でき、１つの番号表示器で複数の常用するクラブの番号を表示する機能を実現し、複数の識別標を携帯する煩雑さを解消し、使用が簡便である等有益な効果を達成できる。
【考案を実施するための最良の形態】
【００１３】
図１乃至図８は、本考案のゴルフクラブヘッドカバー用プッシュ式番号表示器の一実施形態を示している。この番号表示器は、形状・サイズが基本的に対称の前カバー１および後カバー２から構成されるケースを含み、前カバー１と後カバー２が番号表示窓１１および２１をそれぞれ有し、前カバー１と後カバー２との間は前カバー１にあるほぞ１２と後カバー２にあるほぞ溝２２の嵌合により連結され、さらに接着剤で固定される。ケースの頂部にはゴルフクラブヘッドカバーに連結できる連接装置があり、好ましくは、この連接装置は布片を穿通させてゴルフクラブのヘッドカバーに結び付けるための長孔３である。前記ケースの内部には間欠的に回転できる回転輪４および回転輪４を回転させる第１半軸５と第２半軸６が設けられ、回転輪４の周方向に複数の異なる番号４１が分布しており、回転輪４が間欠的に回転するとき、各番号４１がケースの番号表示窓から順次表示される。第１半軸５と第２半軸６はいずれも中空の管状軸であって、それぞれ回転輪４の右側と左側に位置し、第１半軸５の片側に回転輪４に連結されるプッシュ装置が設けられ、該プッシュ装置はボタン７、伝動輪８、圧縮スプリング９および圧縮スプリングの伝動輪８寄りの一端に設けられる助滑部材１０を含み、圧縮スプリング９が第２半軸６の内部に設けられ、圧縮スプリング９の他方の一端がケースの内側面に当接し、助滑部材１０は伝動輪４に摺動可能に嵌合される。前記ボタン７は第１半軸５の内部から伸出し、かつその外側端がケース右側に設けられるボタン孔１１を通ってケースから外へ露出し、第１半軸５の内側円周上にボタン７の回転を規制する位置決めブロック５１が設けられる。伝動輪８と回転輪４は周方向に連動し、ボタン７および伝動輪８にそれぞれ駆動歯７１および駆動溝８１が設けられ、駆動歯７１と駆動溝８１が噛み合って伝動輪８および回転輪４の間欠的回転を引き起こす。前記伝動輪８は辺縁に突起ブロック８２を有し、該突起ブロック８２が回転輪４に設けられたブロック溝内に係入されて回転輪４との連動を実現する。前記第１半軸５と第２半軸６の辺縁にそれぞれ突起ブロック５２および６１があり、該突起ブロック５２および６１がそれぞれケースに設けられたブロック溝１４および１３に係入されて、第１半軸と第２半軸がそれぞれ周方向に固定される。
【００１４】
常態下では、ボタン７の外側端はボタン孔１１から伸び出しており、ボタン７を押すと、その内側端の駆動歯７１が伝動輪８の駆動溝８１に嵌合して、相対的回転が起こる。位置決めブロック５１が作用するためボタン７は回転せず、伝動輪８は回転輪４との間で、突起ブロック８２が回転輪４の内側に設けられたブロック溝内に係入されることにより、回転輪４との連動を実現し、即ち周方向の相対的回転は起こらない。したがって、ボタン７が押されると、伝動輪８と回転輪４は一定角度回転し、ボタン７を放すと、圧縮スプリング９の作用によってボタンが跳び上がり、同時に伝動輪８と回転輪４はさらに一定角度回転し、ちょうど次の番号が表示窓１１から表示され、こうして番号の変更が達成される。続けて他の番号に変更したいならば、以上の操作を繰り返して行えばよい。
【００１５】
以上は本考案の好ましい実施形態である。実際には、本分野の一般的な技術者であれば、本考案の主旨を逸脱しないことを前提として、若干の変更或いは改善を実現できる。これらの変更或いは改善の実施も本考案の保護対象である。
【図面の簡単な説明】
【００１６】
【図１】本考案に係る外観立体図である。
【図２】本考案に係るパーツ分解図である。
【図３】ケース前カバーの内側面の概略図である。
【図４】ケース後カバーの内側面の概略図である。
【図５】ボタンの概略図である。
【図６】伝動輪の概略図である。
【図７】第１半軸の概略図である。
【図８】助滑部材の概略図である。
【符号の説明】
【００１７】
１  前カバー
２  後カバー
３  長孔
４  回転輪
５  第１半軸
６  第２半軸
７  ボタン
８  伝動輪
９  圧縮スプリング
１０  助滑部材
１１，２１  番号表示窓
１２  ほぞ
１３，１４  ブロック溝
２２  ほぞ溝
４１  番号
７１  駆動歯
８１  駆動溝
５２，６１，８２  突起ブロック
【図１】
0003135975.tif 000003
【図２】
0003135975.tif 000004
【図３】
0003135975.tif 000005
【図４】
0003135975.tif 000006
【図５】
0003135975.tif 000007
【図６】
0003135975.tif 000008
【図７】
0003135975.tif 000009
【図８】
0003135975.tif 000010